(57)【要約】【課題】老いや、病気、怪我、精神的障害などの原因により、性的勃起が難しいと思われる患者など、挿入困難な状態の患者の幹部にも対応出来る精子採取用具や器具や装置の開発。【解決手段】本精子採取用摺擦シートは、表面の無数の凹凸(図１や図２)で摺擦部を形成する総厚み０．０３ミリメートルの薄いシート(布状)をエラストマー(天然ゴムと合成ゴムの総称。ラテックスやシリコン、ポリなどと呼ばれる)等の伸縮性の高い素材を用いて製作することにより、老いや、病気、怪我、精神的障害などの原因による性的勃起が難しいと思われる患者の患部に巻く、包むなどの方法を用いて、挿入しなくとも摺擦することを可能にした。【選択図】図１
2011078465.tif 000002
【特許請求の範囲】
【請求項１】
シート(布状) 状の表面に矩形状の凹部(甲)を配列形成するとともに前記凹部(甲)の四辺に凸部(乙)を形成して摺擦部を形成してなる精子採取用摺擦シートであって、
前記凹部の一辺の長さは０．５ミリメートルから５ミリメートルであり、前記凹部の深さは前記シートの総厚さの三割ないし五割であり前記シートの総暑さ「Ｔ１」は０．０３ミリメートルから２ミリメートルであることを特徴とする精子採取用摺擦シートである。
【請求項２】
前記凹部(甲)の一辺の長さは０．５ミリメートルであり、前記凸部(乙)の幅は０．２ミリメートルであり、前記凸部(乙)の高さは前記シートの総厚さの五割であり、前記シートの総暑さ「Ｔ１」は０．０３ミリメートルであることを特徴とする精子採取シートである。
【請求項３】
シート(布状) 状の表面に矩形状の凸部(平)を配列形成するとともに前記凸部(平)の四辺に凹部(定)を形成して摺擦部を形成してなる精子採取用摺擦シートであって、
前記凸部(平)の一辺の長さは０．５ミリメートルから５ミリメートルであり、前記凸部(平)の深さは前記シートの総厚さの三割ないし五割であり前記シートの暑さ「Ｔ２」は０．０３ミリメートルから２ミリメートルであることを特徴とする精子採取用摺擦シートである。
【請求項４】
前記凸部(平)の一辺の長さは０．５ミリメートルであり、前記凹部(定)の幅は０．２ミリメートルであり、前記凹部(定)の深ささは前記シートの五割であり、前記シートの暑さ「Ｔ２」は０．０３ミリメートルであることを特徴とする精子採取シートである。
【請求項５】
上記のシートを筒状や避妊具(コンドーム)状に整形し、手を汚さずに精液を採取することが出来る「請求項１」や「請求項２」の特徴を内面に有する精子採取シート。
【発明の詳細な説明】
【技術分野】
【０００１】
本発明は、精子採取時の射精を促し、採取するための道具であり、医学的使用や、性病の拡散防止などの社会的な要請に基づいて従来から使われていた装置や道具の改良に関する発明である。  
【背景技術】
【０００２】
特開２００８−１４８７７４号公報(特許文献３)の (００１９)より引用(特許文献３)
「前文省略    高齢者のQOL(クオリティオブライフ )にとって「性」の部分の重要性は昨今指摘されている通りであり、こういった施設で起こるトラブルの８割方が男女問題、言うなれば色恋事と密接に絡んでいると言われる。後文省略」
【０００３】
今まで色々な道具や装置が発明されてきたが、これ等の物よりも大きさや形、状態に左右されにくい、簡易的精子採取装置の開発が求められている。
【０００４】
先行技術文献に書かれている特許文献１から特許文献７は、男性性器自体が、挿入できる状態であることを前提とした発明である。
【先行技術文献】
【特許文献】
【０００５】
【特許文献１】特開２００８−３０７１３１号公報
【特許文献２】特開２００８−２８９６７３号公報
【特許文献３】特開２００８−１４８７７４号公報
【特許文献４】特開２００６−３４０８７１号公報
【特許文献５】特開２００６−３４０８７０号公報
【特許文献６】特開２００６−３３４１７６号公報
【特許文献７】特開２０００−０２４０２４号公報
【発明の概要】
【発明が解決しようとする課題】
【０００６】
今まで発明されてきた装置や道具は、男性性器を挿入して摺擦するため、男性性器が、硬直状態でなければ使用できなかった。
【課題を解決するための手段】
【０００７】
上記の目的を達成するため、本発明は一辺が０．５ミリメートルの矩形状の凹部(甲)を配列形成し、前記凹部(甲)の四辺を幅０．２ミリメートルの凸部(乙)を用いて囲んだ摺擦部を表面に有する図１又は一辺が０．５ミリメートルの矩形状の凸部 (平)を配列形成し、前記凸部(平)の四辺を幅０．２ミリメートルの凹部(定)を用いて囲んだ摺擦部を表面に有する図２を表面全体に持つ凸部上面からシート下面までの総厚み「Ｔ1」「Ｔ２」が０．０３ミリメートルの薄いシート(布状)で、巻く、包むなど、硬直状態で無くとも患部を摺擦出来ることを特徴とする。
【発明の効果】
【０００８】
この改善により、勃起不全(老的不能や後天的不能)者の場合でも、本発明を巻く、包むなどの方法により摺擦することができる。
【図面の簡単な説明】
【０００９】
【図１】本発明摺擦シートの表面の形矩形状の凹部(甲)を、凸部(乙)で囲む形を拡大した図である。
【図２】本発明摺擦シートの表面の形矩形状の凸部(平)を、凹部(定)で囲む形を拡大した図である。
【図３】図１の図の断面図A−Ａであり、本発明の総厚み「Ｔ1」及び凹部(甲) の断面の形を示す図である。
【図４】図２の図の断面図Ｂ−Ｂであり、本発明の総厚み「Ｔ２」及び凹部(定) の断面の形を示す図である。
【図５】図１や図２の精子採取シートを筒状に整形した形を表した図である。
【図６】図１や図２の精子採取シートを避妊具(コンドーム)状に整形した形を表した図である。
【図７】図６の精子採取シートを避妊具(コンドーム)状に整形したものを短くした形を表した図である。
【符号の説明】
【００１０】
「Ｔ1」は、本発明の総厚み凸部(乙) 上面からシート下面までの高さ「幅」を表す形(図３)。
「Ｔ２」は、本発明の総厚み凸部(平) 上面からシート下面までの高さ「幅」を表す形(図４)
凹部(甲) とは、本発明上面凸部(乙)から、本発明の総厚み「Ｔ１」の五割低くなった面の形状を表す形(図１)。
凹部(定)とは、本発明上面凸部(平)から、本発明の総厚み「Ｔ２」の五割低くなった面の形状を表す形(図２)。
【発明を実施するための形態】
【００１１】
以下この発明を有効に使うための形態および使用方法を、図とともに詳細に説明する。
【００１２】
０．５ミリメートルの凹部(甲)を 配列形成し、その四辺を０．２ミリメートルの幅で本発明の総厚み「Ｔ1」の五割の高さの突起物凸部(乙)を用いて囲んだものを隙間なく並べた摺擦部を正面から見たのが図１である。
【００１３】
本発明の表面の形一辺０．５ミリメートルの矩形状の凹部(甲)の０．５ミリメートルは、本発明者が理想とする数字だが、本発明を形にする時、材質及び製造技術的に達成しにくいと思われたら、０．５ミリメートルから５ミリメートルの範囲での製造とする。
【００１４】
本発明の表面の形幅０．２ミリメートルの突起物凸部(乙)の０．２ミリメートルは、本発明者が理想とする数字だが、本発明を形にする時、材質及び製造技術的に達成しにくいと思われたら、０．２ミリメートルから２ミリメートルの範囲での製造とする。
【００１５】
本発明の総厚み「Ｔ１」の五割の高さの突起物凸部(乙)を形にする時、材質及び製造技術的に達成しにくいと思われたら、本発明の総厚み「Ｔ１」の三割から五割の範囲での製造とする。
【００１６】
０．５ミリメートルの凸部(平)を配列形成し、その四辺を０．２ミリメートルの幅で本発明の総厚み「Ｔ２」の五割の深さの凹部(定)を用いて囲んだものを隙間なく並べた摺擦部を正面から見たのが図２である。
【００１７】
本発明の表面の形一辺０．５ミリメートルの矩形状の凸部(平)の０．５ミリメートルは、本発明者が理想とする数字だが、本発明を形にする時、材質及び製造技術的に達成しにくいと思われたら、０．５ミリメートルから５ミリメートルの範囲での製造とする
【００１８】
本発明の表面の形０．２ミリメートルの幅の凹部(定)の０．２ミリメートルは、本発明者が理想とする数字だが、本発明を形にする時、材質及び製造技術的に達成しにくいと思われたら、０．２ミリメートルから２ミリメートルの範囲での製造とする。
【００１９】
本発明の総厚み「Ｔ２」の五割の深さの凹部(定)を形にする時、材質及び製造技術的に達成しにくいと思われたら、本発明の総厚み「Ｔ２」の三割から五割の範囲での製造とする。
【００２０】
課題を解決するための手段の文中(総厚み「Ｔ1」「Ｔ２」の０．０３ミリメートルの薄いシート)の０．０３ミリメートルは、本発明者が理想とする数字だが、本発明を形にする時、材質及び製造技術的に達成しにくいと思われたら、０．０３ミリメートルから２ミリメートルの範囲での製造とする。
【００２１】
図５は、一般的に販売されている避妊具(コンドーム)に内径寸法を順ずる図１や図２を内面に有することを特徴とする精子採取シート側面図である。
【００２２】
図６は、一般的に販売されている避妊具(コンドーム)に内径寸法を順ずる図１や図２を内面に有することを特徴とする精子採取シート側面図である。
【００２３】
図５の長さは、５０ミリメートルから２００ミリメートルを限度とする。
【００２４】
図６の長さは、５０ミリメートルから２００ミリメートルを限度とする。
【００２５】
図６を長さ３０ミリメートルから５０ミリメートルに整形したのが図７である。
【００２６】
人体に悪影響が無いエラストマー(天然ゴムと合成ゴムの総称。ラテックスやシリコン、ポリなどと呼ばれる)など、本発明を形にできる物質でなおかつ、マッサージ用オイルや、ジェル、ローションなどの潤滑性の高い液状の物質を通さない材料で作った精子採取シート摺擦部表面図１や図２に、マッサージ用オイルや、ジェル、ローションなどの潤滑性の高い液状の物質を塗り、巻く、包むなどの使用方法を用い患部を摺擦する。
【００２７】
図１や図２を有する筒状の精子採取シート図５に整形することによって、マッサージ用オイルや、ジェル、ローションなどの潤滑性の高い液状の物質で手を汚さずに摺擦し、精子をシャーレやビーカーや試験管などに採取する。
【００２８】
図１や図２を有する避妊具(コンドーム)状に整形した精子採取シート図６に整形することによって、マッサージ用オイルや、ジェル、ローションなどの潤滑性の高い液状の物質や、精液で手を汚さずに精液を図６先端部分に採取する。
【００２９】
図７は、図６の形を短くすることで、図５と併用して又は単独で精液を先端部分に採取する。
【産業上の利用可能性】
【００３０】
本発明精子採取シートは、医療用、性犯罪防止、性病の拡散防止などの目的で開発したものだが、一般向けに販売する目的での製造も男性の生理的性欲を解消するために役立つと思われるので、大量の需要が見込まれる。これにより、新たな産業や、雇用を生む可能性を秘めている。
【図１】
2011078465.tif 000003
【図２】
2011078465.tif 000004
【図３】
2011078465.tif 000005
【図４】
2011078465.tif 000006
【図５】
2011078465.tif 000007
【図６】
2011078465.tif 000008
【図７】
2011078465.tif 000009